(57)【特許請求の範囲】
【請求項１】
スマート機器に適用されるネットワーク接続方法であって、
前記スマート機器がネットワークに接続されたことがない場合、無線ＬＡＮを構築するステップと、
前記無線ＬＡＮに接続された端末が存在することを検出した場合、前記端末にネットワーク接続要求を送信するステップと、
前記端末が送信するネットワーク設定情報を受信するステップと、
前記ネットワーク設定情報に基づいてネットワークに接続するステップとを含み、
前記無線ＬＡＮに接続された端末が存在することを検出した場合、さらに、
前記端末に認証情報を送信し、前記端末の前記スマート機器に対する身元認証に成功した場合のみ、前記スマート機器が前記端末から前記ネットワーク設定情報を受信するステップを含むことを特徴とするネットワーク接続方法。
【請求項２】
前記無線ＬＡＮを構築するステップは、
前記スマート機器を無線ＬＡＮアクセスポイントモードに設置するステップと、
自機を無線ＬＡＮアクセスポイントとして無線ＬＡＮを構築するステップとを含むことを特徴とする請求項１に記載のネットワーク接続方法。
【請求項３】
前記ネットワーク設定情報に基づいてネットワークに接続するステップは、
前記ネットワーク設定情報に基づいて前記スマート機器に対してネットワーク設定を行うステップと、
ネットワーク設定が終了した後、前記ネットワーク設定情報と対応するネットワーク接続機器に接続要求を送信して、ネットワークに接続するステップとを含むことを特徴とする請求項１に記載のネットワーク接続方法。
【請求項４】
ネットワーク設定が終了した後、さらに、
前記端末に設定結果を報告するステップを含むことを特徴とする請求項３に記載のネットワーク接続方法。
【請求項５】
前記スマート機器がネットワークに接続した後、さらに、
前記端末にネットワーク接続結果を報告するステップを含むことを特徴とする請求項３に記載のネットワーク接続方法。
【請求項６】
端末に適用されるネットワーク接続方法であって、
スマート機器が構築した無線ＬＡＮを検出した場合、前記無線ＬＡＮに接続するステップと、
前記スマート機器が送信するネットワーク接続要求を受信するステップと、
前記ネットワーク接続要求に基づいて、自機がネットワークに接続するためのネットワーク設定情報を取得するステップと、
前記ネットワーク設定情報を前記スマート機器に送信するステップとを含み、
前記スマート機器が送信するネットワーク接続要求を受信した後、さらに、
前記スマート機器が送信する認証情報を受信するステップと、
前記認証情報に基づいて前記スマート機器に対して身元認証を行うステップと、
前記スマート機器に対する身元認証に成功した場合のみ、前記ネットワーク設定情報を前記スマート機器に送信するステップとを含むことを特徴とするネットワーク接続方法。
【請求項７】
前記ネットワーク設定情報を前記スマート機器に送信する前に、さらに、
ユーザからの設定命令を受信するステップと、
前記設定命令に基づいてネットワーク設定情報を送信するか否かを決定するステップとを含むことを特徴とする請求項６に記載のネットワーク接続方法。
【請求項８】
前記スマート機器から、前記スマート機器が前記ネットワーク設定情報に基づいてネットワーク設定を行う設定結果及び前記スマート機器がネットワークに接続するネットワーク接続結果のうちの少なくとも一つの情報を受信するステップをさらに含むことを特徴とする請求項６に記載のネットワーク接続方法。
【請求項９】
スマート機器に適用されるネットワーク接続装置であって、
前記スマート機器がネットワークに接続されたことがない場合、無線ＬＡＮを構築するための構築モジュールと、
前記無線ＬＡＮに接続された端末が存在することを検出した場合、前記端末にネットワーク接続要求を送信するための送信モジュールと、
前記端末が送信するネットワーク設定情報を受信するための受信モジュールと、
前記ネットワーク設定情報に基づいてネットワークに接続するための接続モジュールとを備え、
前記送信モジュールは、さらに、前記無線ＬＡＮに接続された端末が存在することを検出した場合、前記端末に認証情報を送信し、前記端末の前記スマート機器に対する身元認証に成功した場合のみ、前記スマート機器が前記端末から前記ネットワーク設定情報を受信するためのものであることを特徴とするネットワーク接続装置。
【請求項１０】
前記構築モジュールは、
前記スマート機器を無線ＬＡＮアクセスポイントモードに設置するための設置サブモジュールと、
自機を無線ＬＡＮアクセスポイントとして無線ＬＡＮを構築するための構築サブモジュールとを備えることを特徴とする請求項９に記載のネットワーク接続装置。
【請求項１１】
前記接続モジュールは、
前記ネットワーク設定情報に基づいて前記スマート機器に対してネットワーク設定を行うための設定サブモジュールと、
ネットワーク設定が終了した後、前記ネットワーク設定情報と対応するネットワーク接続機器に接続要求を送信して、ネットワークに接続するための送信サブモジュールとを備えることを特徴とする請求項９に記載のネットワーク接続装置。
【請求項１２】
前記送信モジュールは、
ネットワーク設定が終了した後、さらに、
前記端末に設定結果を報告するためのものであることを特徴とする請求項１１に記載のネットワーク接続装置。
【請求項１３】
前記送信モジュールは、
前記スマート機器がネットワークに接続した後、さらに、
前記端末にネットワーク接続結果を報告するためのものであることを特徴とする請求項１１に記載のネットワーク接続装置。
【請求項１４】
端末に適用されるネットワーク接続装置であって、
スマート機器が構築した無線ＬＡＮを検出した場合、前記無線ＬＡＮに接続するための接続モジュールと、
前記スマート機器が送信するネットワーク接続要求を受信した後、前記スマート機器が送信する認証情報を受信するための受信モジュールと、
前記ネットワーク接続要求に基づいて、自機がネットワークに接続するためのネットワーク設定情報を取得するための取得モジュールと、
前記スマート機器に対する身元認証に成功した場合、前記ネットワーク設定情報を前記スマート機器に送信するための送信モジュールと、
前記認証情報に基づいて前記スマート機器に対して身元認証を行うための認証モジュールとを備えることを特徴とするネットワーク接続装置。
【請求項１５】
決定モジュールをさらに備え、
前記受信モジュールは、ユーザからの設定命令を受信するためのものであり、
前記決定モジュールは、前記設定命令に基づいてネットワーク設定情報を送信するか否かを決定するためのものであることを特徴とする請求項１４に記載のネットワーク接続装置。
【請求項１６】
前記受信モジュールは、前記スマート機器から、前記スマート機器が前記ネットワーク設定情報に基づいてネットワーク設定を行う設定結果及び前記スマート機器がネットワークに接続するネットワーク接続結果のうちの少なくとも一つの情報を受信するためのものであることを特徴とする請求項１４に記載のネットワーク接続装置。
【請求項１７】
スマート機器であって、
プロセッサと、
前記プロセッサにより実行可能なインストラクションを格納するためのメモリと
を備え、
前記プロセッサは、
前記スマート機器がネットワークに接続されたことがない場合、無線ＬＡＮを構築し、
前記無線ＬＡＮに接続された端末が存在することを検出した場合、前記端末にネットワーク接続要求を送信し、
前記端末が送信するネットワーク設定情報を受信し、
前記ネットワーク設定情報に基づいてネットワークに接続し、
前記無線ＬＡＮに接続された端末が存在することを検出した場合、さらに、
前記端末に認証情報を送信し、前記端末の前記スマート機器に対する身元認証に成功した場合のみ、前記スマート機器が前記端末から前記ネットワーク設定情報を受信するように構成されることを特徴とするスマート機器。
【請求項１８】
プロセッサと、
前記プロセッサにより実行可能なインストラクションを格納するためのメモリと、
を備え、
前記プロセッサは、
スマート機器が構築した無線ＬＡＮを検出した場合、前記無線ＬＡＮに接続し、
前記スマート機器が送信するネットワーク接続要求を受信し、
前記ネットワーク接続要求に基づいて、自機がネットワークに接続するためのネットワーク設定情報を取得し、
前記ネットワーク設定情報を前記スマート機器に送信し、
前記スマート機器が送信するネットワーク接続要求を受信した後、さらに、
前記スマート機器が送信する認証情報を受信し、
前記認証情報に基づいて前記スマート機器に対して身元認証を行い、
前記スマート機器に対する身元認証に成功した場合のみ、前記ネットワーク設定情報を前記スマート機器に送信するように構成されることを特徴とする端末。
【請求項１９】
プロセッサに実行されることにより、請求項１から請求項５のいずれか１項、又は請求項６から請求項８のいずれか１項に記載のネットワーク接続方法を実現することを特徴とするプログラム。
【請求項２０】
請求項１９に記載のプログラムが記録された記録媒体。
【発明の詳細な説明】
【技術分野】
【０００１】
本発明は、無線通信技術分野に関し、特にネットワーク接続方法及び装置に関する。
【背景技術】
【０００２】
現在、テレビセットトップボックスや、スマートコンセントや、スマート空気清浄機や、モバイルルータ等の、ネットワーク接続機能を持つスマート機器が多く登場している。これらの機器はネットワークに接続できるが、入力インターフェースを持っていないため、初めてネットワークに接続する時、ユーザが、その他の入力インターフェースを持つ機器（例えば、携帯電話、コンピュータ等）を経由して、接続しようとするルータのサービスセット識別子と接続パスワードをこれらのスマート機器に送信して、これらのスマート機器をネットワークに接続しなければならない。
【発明の概要】
【０００３】
本発明は、ネットワーク接続方法及び装置、プログラム及び記録媒体を提供する。
【０００４】
本発明の実施例の第１様態によれば、
スマート機器に適用されるネットワーク接続方法であって、
前記スマート機器がネットワークに接続されたことがない場合、無線ＬＡＮを構築するステップと、
前記無線ＬＡＮに接続された端末が存在することを検出した場合、前記端末にネットワーク接続要求を送信するステップと、
前記端末が送信するネットワーク設定情報を受信するステップと、
前記ネットワーク設定情報に基づいてネットワークに接続するステップとを含むネットワーク接続方法を提供する。
【０００５】
前記無線ＬＡＮを構築するステップは、
前記スマート機器を無線ＬＡＮアクセスポイントモードに設置するステップと、
自機を無線ＬＡＮアクセスポイントとして無線ＬＡＮを構築するステップとを含んでもよい。
【０００６】
前記方法は、
前記無線ＬＡＮに接続された端末が存在することを検出した場合、さらに、
前記端末に認証情報を送信し、前記端末は前記認証情報に基づいて前記スマート機器に対して身元認証を行い、前記端末の前記スマート機器に対する身元認証に成功した場合、前記端末は前記スマート機器に前記ネットワーク設定情報を送信するステップを含んでもよい。
【０００７】
前記ネットワーク設定情報に基づいてネットワークに接続するステップは、
前記ネットワーク設定情報に基づいて前記スマート機器に対してネットワーク設定を行うステップと、
ネットワーク設定が終了した後、前記ネットワーク設定情報と対応するネットワーク接続機器に接続要求を送信して、ネットワークに接続するステップとを含んでもよい。
【０００８】
前記方法は、
ネットワーク設定が終了した後、さらに、
前記端末に設定結果を報告するステップを含んでもよい。
【０００９】
前記方法は、前記スマート機器がネットワークに接続した後、
前記端末にネットワーク接続結果を報告するステップをさらに含んでもよい。
【００１０】
本発明の実施例の第２様態によれば、
端末に適用されるネットワーク接続方法であって、
スマート機器が構築した無線ＬＡＮを検出した場合、前記無線ＬＡＮに接続するステップと、
前記スマート機器が送信するネットワーク接続要求を受信するステップと、
前記ネットワーク接続要求に基づいて、自機がネットワークに接続するためのネットワーク設定情報を取得するステップと、
前記ネットワーク設定情報を前記スマート機器に送信するステップとを含むネットワーク接続方法を提供する。
【００１１】
前記方法は、
前記スマート機器が送信するネットワーク接続要求を受信した後、さらに、
前記スマート機器が送信する認証情報を受信するステップと、
前記認証情報に基づいて前記スマート機器に対して身元認証を行うステップと、
前記スマート機器に対する身元認証に成功した場合、前記ネットワーク設定情報を前記スマート機器に送信するステップとを含んでもよい。
【００１２】
前記方法は、
前記ネットワーク設定情報を前記スマート機器に送信する前に、さらに、
ユーザからの設定命令を受信するステップと、
前記設定命令に基づいてネットワーク設定情報を送信するか否かを決定するステップとを含んでもよい。
【００１３】
前記方法は、
前記スマート機器から、前記スマート機器が前記ネットワーク設定情報に基づいてネットワーク設定を行う設定結果及び前記スマート機器がネットワークに接続するネットワーク接続結果のうちの少なくとも一つの情報を受信するステップをさらに含んでもよい。
【００１４】
本発明の実施例の第３様態によれば、
スマート機器に適用されるネットワーク接続装置であって、
前記スマート機器がネットワークに接続されたことがない場合、無線ＬＡＮを構築するための構築モジュールと、
前記無線ＬＡＮに接続された端末が存在することを検出した場合、前記端末にネットワーク接続要求を送信するための送信モジュールと、
前記端末が送信するネットワーク設定情報を受信するための受信モジュールと、
前記ネットワーク設定情報に基づいてネットワークに接続するための接続モジュールとを備えるネットワーク接続装置を提供する。
【００１５】
前記構築モジュールは、
前記スマート機器を無線ＬＡＮアクセスポイントモードに設置するための設置サブモジュールと、
自機を無線ＬＡＮアクセスポイントとして無線ＬＡＮを構築するための構築サブモジュールとを備えてもよい。
【００１６】
前記送信モジュールは、さらに、前記無線ＬＡＮに接続された端末が存在することを検出した場合、前記端末に認証情報を送信し、前記端末は前記認証情報に基づいて前記スマート機器に対して身元認証を行い、前記端末の前記スマート機器に対する身元認証に成功した場合、前記端末が前記スマート機器に前記ネットワーク設定情報を送信するためのものであってもよい。
【００１７】
前記接続モジュールは、
前記ネットワーク設定情報に基づいて前記スマート機器に対してネットワーク設定を行うための設定サブモジュールと、
ネットワーク設定が終了した後、前記ネットワーク設定情報と対応するネットワーク接続機器に接続要求を送信して、ネットワークに接続するための送信サブモジュールとを備えてもよい。
【００１８】
前記送信モジュールは、
ネットワーク設定が終了した後、さらに、前記端末に設定結果を報告するためのものであってもよい。
【００１９】
前記送信モジュールは、
前記スマート機器がネットワークに接続した後、さらに、
前記端末にネットワーク接続結果を報告するためのものであってもよい。
【００２０】
本発明の実施例の第４様態によれば、
端末に適用されるネットワーク接続装置であって、
スマート機器が構築した無線ＬＡＮを検出した場合、前記無線ＬＡＮに接続するための接続モジュールと、
前記スマート機器が送信するネットワーク接続要求を受信するための受信モジュールと、
前記ネットワーク接続要求に基づいて、自機がネットワークに接続するためのネットワーク設定情報を取得するための取得モジュールと、
前記ネットワーク設定情報を前記スマート機器に送信するための送信モジュールとを備えるネットワーク接続装置を提供する。
【００２１】
前記装置は、認証モジュールをさらに備え、
前記スマート機器が送信するネットワーク接続要求を受信した後、
前記受信モジュールは、前記スマート機器が送信する認証情報を受信するためのものであり、
前記認証モジュールは、前記認証情報に基づいて前記スマート機器に対して身元認証を行うためのものであり、
前記送信モジュールは、前記スマート機器に対する身元認証に成功した場合、前記ネットワーク設定情報を前記スマート機器に送信するためのものであってもよい。
【００２２】
前記装置は、決定モジュールをさらに備え、
前記受信モジュールは、ユーザからの設定命令を受信するためのものであり、
前記決定モジュールは、前記設定命令に基づいてネットワーク設定情報を送信するか否かを決定するためのものであってもよい。
【００２３】
前記受信モジュールは、前記スマート機器から、前記スマート機器が前記ネットワーク設定情報に基づいてネットワーク設定を行う設定結果及び前記スマート機器がネットワークに接続するネットワーク接続結果のうちの少なくとも一つの情報を受信するためのものであってもよい。
【００２４】
本発明の実施例の第５様態によれば、
スマート機器であって、
プロセッサと、
プロセッサにより実行可能なインストラクションを格納するためのメモリと
を備え、
前記プロセッサは、
前記スマート機器がネットワークに接続されたことがない場合、無線ＬＡＮを構築し、
前記無線ＬＡＮに接続された端末が存在することを検出した場合、前記端末にネットワーク接続要求を送信し、
前記端末が送信するネットワーク設定情報を受信し、
前記ネットワーク設定情報に基づいてネットワークに接続するように構成されるスマート機器を提供する。
【００２５】
本発明の実施例の第６様態によれば、
プロセッサと、
プロセッサにより実行可能なインストラクションを格納するためのメモリと、
を備え、
前記プロセッサは、
スマート機器が構築した無線ＬＡＮを検出した場合、前記無線ＬＡＮに接続し、
前記スマート機器が送信するネットワーク接続要求を受信し、
前記ネットワーク接続要求に基づいて、自機がネットワークに接続するためのネットワーク設定情報を取得し、
前記ネットワーク設定情報を前記スマート機器に送信するように構成される端末を提供する。
【００２６】
本発明の実施例に係る第７態様によれば、
プロセッサに実行されることにより、第1態様又は第２態様の何れかの一つによる前記ネットワーク接続方法を実現するプログラムを提供する。
【００２７】
本発明の実施例に係る第８態様によれば、
第７態様による前記プログラムが記録されている記録媒体を提供する。
【００２８】
本発明の実施例により提供された技術案によれば、以下のような有益な効果が得られる。即ち、テレビセットトップボックスや、スマートコンセントや、スマート空気清浄機や、モバイルルータ等の、ネットワーク接続機能を持つスマート機器に対して、ネットワークに接続されたことがない場合、ＬＡＮを構築し、ユーザが、携帯電話、コンピュータ等の、入力インターフェースを持つ端末を利用して当該ＬＡＮを選択して接続した後、スマート機器は、ＬＡＮに接続された端末にネットワーク接続要求を送信し、端末は、ユーザの許可のもとで、当該ＬＡＮを介してスマート機器に端末が現在接続しているネットワーク設定情報を送信して、スマート機器が当該ネットワーク設定情報に基づいてネットワークに接続できるようにする。これにより、スマート機器が自発的にネットワーク設定情報を取得し、ユーザが手動で入力する必要がなく、スマート機器が取得するネットワーク設定情報の正確性を高めるとともに、接続待機機器がルータに接続する信頼性と成功率を高める。
【００２９】
なお、前記一般的な記載及び後述の詳細な記載は、単なる例示的で解釈的な記載であり、本発明を限定しない。
【図面の簡単な説明】
【００３０】
以下の図面は、明細書に組み込まれて本願明細書の一部分となり、本願発明に合致する実施例を示し、且つ明細書とともに、本発明の原理を説明するために用いられる。
【図１】一つの例示的な実施例に係るネットワーク接続方法のフローチャートである。
【図２】別の１つの例示的な実施例に係るネットワーク接続方法のフローチャートである。
【図３】別の１つの例示的な実施例に係るネットワーク接続方法のフローチャートである。
【図４】一つの例示的な実施例に係るネットワーク接続方法のフローチャートである。
【図５】別の１つの例示的な実施例に係るネットワーク接続方法のフローチャートである。
【図６】一つの例示的な実施例に係るネットワーク接続装置のブロック図である。
【図７】一つの例示的な実施例に係る構築モジュールのブロック図である。
【図８】一つの例示的な実施例に係る接続モジュールのブロック図である。
【図９】一つの例示的な実施例に係るネットワーク接続装置のブロック図である。
【図１０】別の１つの例示的な実施例に係るネットワーク接続装置のブロック図である。
【図１１】一つの例示的な実施例に係る、ネットワーク接続に用いられる装置のブロック図である。
【発明を実施するための形態】
【００３１】
以下、例示的な実施例について詳細に説明し、その例示的な実施例を図面に示すことにする。以下の図面に関する説明において、別途の説明がない限り、異なる図面中の同一の符号は、同一又は類似する要素を示すこととする。以下の例示的実施例において説明する実施形態は、本発明に合致する全ての実施形態を代表するわけではない。逆に、それらは、添付の特許請求の範囲に記載される本発明の一部の態様に合致する装置及び方法の例に過ぎない。
【００３２】
図１は、一つの例示的な実施例に係るネットワーク接続方法のフローチャートである。図１に示すように、ネットワーク接続方法は、スマート機器に適用され、以下のステップを含む。
【００３３】
ステップＳ１１において、スマート機器がネットワークに接続されたことがない場合、無線ＬＡＮを構築し、
ステップＳ１２において、無線ＬＡＮに接続された端末が存在することを検出した場合、端末にネットワーク接続要求を送信し、
ステップＳ１３において、端末が送信するネットワーク設定情報を受信し、
ステップＳ１４において、ネットワーク設定情報に基づいてネットワークに接続する。
【００３４】
本実施例においては、テレビセットトップボックス、スマートコンセント、スマート空気清浄機、モバイルルータ等の、ネットワーク接続機能を持つスマート機器が、ネットワークに接続されたことがない場合、ＬＡＮを構築する。ユーザが携帯電話、コンピュータ等の、入力インターフェースを持つ端末を利用して当該ＬＡＮを選択して接続すると、スマート機器は、ＬＡＮに接続された端末にネットワーク接続要求を送信し、ユーザの許可のもとで、端末は、当該ＬＡＮを介してスマート機器に端末が現在接続されているネットワーク設定情報、例えば、ルータに接続されるサービスセット識別子（ＳＳＩＤ）及び接続パスワードを送信して、スマート機器が当該ネットワーク設定情報に基づいてネットワークに接続できるようにする。これにより、スマート機器が自発的にネットワーク設定情報を取得し、ユーザが手動で入力する必要がなく、スマート機器が取得するネットワーク設定情報の正確性を高めるとともに、接続待機機器がルータに接続する信頼性と成功率を高める。
【００３５】
図２は、別の１つの例示的な実施例に係るネットワーク接続方法のフローチャートである。図２に示すように、ステップＳ１１は、以下のステップを含んでもよい。
【００３６】
ステップＳ２１において、スマート機器を無線ＬＡＮアクセスポイントモードに設置し、
ステップＳ２２において、自機を無線ＬＡＮアクセスポイントとして無線ＬＡＮを構築する。
【００３７】
選択可能な態様において、スマート機器は、無線ＬＡＮアクセスポイント（ＡＰ）モードに設定され、自機を無線ＬＡＮアクセスポイントとして無線ＬＡＮを構築することにより、端末が接続され、さらに端末のネットワーク設定情報を取得してネットワークに接続することができるようにする。
【００３８】
無線ＬＡＮに接続された端末が存在することを検出した場合、当該方法は、
端末に認証情報を送信し、端末は認証情報に基づいてスマート機器に対して身元認証を行い、端末のスマート機器に対する身元認証に成功した場合、端末はスマート機器にネットワーク設定情報を送信するステップをさらに含んでもよい。
【００３９】
選択可能な態様において、スマート機器は、自機の機器情報を含む認証情報を端末に送信し、端末は、端末のスマート機器に対する身元認証に成功した場合のみ、自機のネットワーク設定情報をスマート機器に送信する。これにより、端末情報の安全性だけではなく、ネットワークの安全性も確保する。
【００４０】
例えば、ユーザは、携帯電話を介してスマート機器Ａが構築した無線ＬＡＮに接続して、スマート機器Ａの機器情報に対して身元認証を行い、当該スマート機器Ａが自宅の機器であると判断した場合、自宅のルータＲに接続されるネットワーク設定情報をスマート機器Ａに送信し、スマート機器Ａはネットワーク設定情報に基づいてルータＲに接続する。
【００４１】
携帯電話は、別の一つのスマート機器Ｂが構築した無線ＬＡＮにも接続したが、ユーザが、スマート機器Ｂの機器情報に基づいてスマート機器Ｂが自宅の機器ではないと判断した場合、自宅のルータＲのネットワーク設定情報をスマート機器Ｂに送信しない。
【００４２】
図３は、別の１つの例示的な実施例に係るネットワーク接続方法のフローチャートである。図３に示すように、ステップＳ１４は、以下のステップを含んでもよい。
【００４３】
ステップＳ３１において、ネットワーク設定情報に基づいてスマート機器に対してネットワーク設定を行い、
ステップＳ３２において、ネットワーク設定が終了した後、ネットワーク設定情報と対応するネットワーク接続機器に接続要求を送信して、ネットワークに接続する。
【００４４】
選択可能な態様において、スマート機器は、受信されたネットワーク設定情報に基づいて自機に対して設定を行い、設定が終了した後、ルータに接続要求を送信して、インターネットに接続する。
【００４５】
当該方法は、ネットワーク設定が終了した後、
端末に設定結果を報告するステップをさらに含んでもよい。
【００４６】
当該方法は、スマート機器がネットワークに接続した後、
端末にネットワーク接続結果を報告するステップをさらに含んでもよい。
【００４７】
選択可能な態様において、スマート機器は、ネットワーク設定が終了した後、端末に設定結果を報告し、ネットワークに接続した後、端末にネットワーク接続結果を報告する。これにより、ユーザは、端末を介してスマート機器がネットワークに接続している過程における状態を知り得ることができ、一旦問題が起こると、接続過程においていったいどのステップでエラーが発生したのかを知り得ることができ、ユーザは、迅速にエラーについて修正を行うことができる。例えば、ネットワーク設定を修正するか又は新たにルータに接続要求を送信する等々。
【００４８】
図４は、一つの例示的な実施例に係るネットワーク接続方法のフローチャートである。図４に示すように、ネットワーク接続方法は、端末に適用され、以下のステップを含む。
【００４９】
ステップＳ４１において、スマート機器が構築した無線ＬＡＮを検出した場合、無線ＬＡＮに接続し、
ステップＳ４２において、スマート機器が送信するネットワーク接続要求を受信し、
ステップＳ４３において、ネットワーク接続要求に基づいて、自機がネットワークに接続するためのネットワーク設定情報を取得し、
ステップＳ４４において、ネットワーク設定情報をスマート機器に送信する。
【００５０】
本実施例において、端末は、スマート機器が構築した無線ＬＡＮを検出した場合、当該ＬＡＮに接続して、ＬＡＮにおいて自機のネットワーク設定情報をスマート機器に送信することにより、スマート機器が、端末のネットワーク設定を利用してネットワークに接続できるようにする。これにより、スマート機器により自発的にネットワーク設定情報を取得し、ユーザは手動で入力する必要がなく、スマート機器が取得したネットワーク設定情報の正確性を高めるとともに、接続待機機器がルータに接続する信頼性と成功率を高める。
【００５１】
図５は、別の１つの例示的な実施例に係るネットワーク接続方法のフローチャートである。図５に示すように、当該方法は、ステップＳ４２の実行後、以下のステップをさらに含んでもよい。
【００５２】
ステップＳ５１において、スマート機器が送信する認証情報を受信し、
ステップＳ５２において、認証情報に基づいてスマート機器に対して身元認証を行い、
ステップＳ５３において、スマート機器に対する身元認証に成功した場合、ネットワーク設定情報をスマート機器に送信する。
【００５３】
選択可能な態様において、端末は、スマート機器に対して身元認証を行い、身元認証に成功した場合のみ、自機のネットワーク設定情報をスマート機器に送信する。これにより、端末情報の安全性だけではなく、ネットワークの安全性も確保する。
【００５４】
当該方法は、ステップＳ４４の前に、以下のステップをさらに含んでもよい。
【００５５】
ステップＡ１において、ユーザからの設定命令を受信し、
ステップＡ２において、前記設定命令に基づいてネットワーク設定情報を送信するか否かを決定する。
【００５６】
選択可能な態様において、ユーザは、端末を介してネットワーク設定情報をスマート機器に送信するか否かを選択することができ、これにより、さらに端末情報の安全性を確保するだけではなく、ネットワークの安全性も確保する。
【００５７】
当該方法は、スマート機器から、スマート機器がネットワーク設定情報に基づいてネットワーク設定を行う設定結果及びスマート機器がネットワークに接続するネットワーク接続結果のうちの少なくとも一つの情報を受信するステップをさらに含んでもよい。
【００５８】
選択可能な態様において、スマート機器は、ネットワーク設定が終了した後、端末に設定結果を報告し、ネットワークに接続した後、端末にネットワーク接続結果を報告する。これにより、ユーザは、端末を介してスマート機器がネットワークに接続している過程における状態を知り得ることができ、一旦問題が起こると、接続過程においていったいどのステップでエラーが発生したのかを知り得ることができ、ユーザは、迅速にエラーについて修正を行うことができる。例えば、ネットワーク設定を修正するか又は新たにルータに接続要求を送信する等々。
【００５９】
図６は、一つの例示的な実施例に係るネットワーク接続装置のブロック図である。図６に示すように、当該装置は、スマート機器に適用され、構築モジュール６１と、送信モジュール６２と、受信モジュール６３と接続モジュール６４とを備える。
【００６０】
構築モジュール６１は、前記スマート機器がネットワークに接続されたことがない場合、無線ＬＡＮを構築するように構成される。
【００６１】
送信モジュール６２は、前記無線ＬＡＮに接続された端末が存在することを検出した場合、前記端末にネットワーク接続要求を送信するように構成される。
【００６２】
受信モジュール６３は、前記端末が送信するネットワーク設定情報を受信するように構成される。
【００６３】
接続モジュール６４は、前記ネットワーク設定情報に基づいてネットワークに接続するように構成される。
【００６４】
図７は、一つの例示的な実施例に係る構築モジュールのブロック図である。図７に示すように、前記構築モジュール６１は、
前記スマート機器を無線ＬＡＮアクセスポイントモードに設置するように構成される設置サブモジュール７１と、
自機を無線ＬＡＮアクセスポイントとして無線ＬＡＮを構築するように構成される構築サブモジュール７２とを含んでもよい。
【００６５】
前記送信モジュール６２は、また前記無線ＬＡＮに接続された端末が存在することを検出した場合、前記端末に認証情報を送信し、前記端末は前記認証情報に基づいて前記スマート機器に対して身元認証を行い、前記端末の前記スマート機器に対する身元認証に成功した場合、前記端末が前記スマート機器に前記ネットワーク設定情報を送信するように構成されてもよい。
【００６６】
図８は、一つの例示的な実施例に係る接続モジュールのブロック図である。図８に示すように、前記接続モジュール６４は、
前記ネットワーク設定情報に基づいて前記スマート機器に対してネットワーク設定を行うように構成される設定サブモジュール８１と、
ネットワーク設定が終了した後、前記ネットワーク設定情報と対応するネットワーク接続機器に接続要求を送信して、ネットワークに接続するように構成される送信サブモジュール８２とを含んでもよい。
【００６７】
前記送信モジュール６２は、ネットワーク設定が終了した後、前記端末に設定結果を報告するように構成されてもよい。
【００６８】
前記送信モジュール６２は、前記スマート機器がネットワークに接続した後、前記端末にネットワーク接続結果を報告するように構成されてもよい。
【００６９】
図９は、一つの例示的な実施例に係るネットワーク接続装置のブロック図である。
【００７０】
図９に示すように、当該装置は、端末に適用され、
スマート機器が構築した無線ＬＡＮを検出した場合、前記無線ＬＡＮに接続するように構成される接続モジュール９１と、
前記スマート機器が送信するネットワーク接続要求を受信するように構成される受信モジュール９２と、
前記ネットワーク接続要求に基づいて、自機がネットワークに接続するためのネットワーク設定情報を取得するように構成される取得モジュール９３と、
前記ネットワーク設定情報を前記スマート機器に送信するように構成される送信モジュール９４とを備える。
【００７１】
図１０は、別の１つの例示的な実施例に係るネットワーク接続装置のブロック図である。図１０に示すように、前記装置は、認証モジュール９５をさらに備えてもよい。
【００７２】
前記受信モジュール９２は、前記スマート機器が送信するネットワーク接続要求を受信した後、前記スマート機器が送信する認証情報を受信するように構成され、
前記認証モジュール９５は、前記認証情報に基づいて前記スマート機器に対して身元認証を行うように構成され、
前記送信モジュール９４は、前記スマート機器に対する身元認証に成功した場合、前記ネットワーク設定情報を前記スマート機器に送信するように構成される。
【００７３】
図１０に示すように、装置は、決定モジュール９６をさらに備えてもよい。
【００７４】
受信モジュール９２は、ユーザからの設定命令を受信するように構成され、
決定モジュール９６は、前記設定命令に基づいてネットワーク設定情報を送信するか否かを決定するように構成される。
【００７５】
前記受信モジュール９２は、前記スマート機器から、前記スマート機器が前記ネットワーク設定情報に基づいてネットワーク設定を行う設定結果及び前記スマート機器がネットワークに接続するネットワーク接続結果のうちの少なくとも一つの情報を受信するように構成されてもよい。
【００７６】
上述実施例における装置に関し、それぞれのモジュールが操作を実行する具体的な形態については、関係する方法の実施例において詳細な説明を行っており、ここではその説明を重複しないことにする。
【００７７】
本発明によれば、
プロセッサと、
プロセッサにより実行可能なインストラクションを格納するためのメモリと、
を備え、
前記プロセッサは、
前記スマート機器がネットワークに接続されたことがない場合、無線ＬＡＮを構築し、
前記無線ＬＡＮに接続された端末が存在することを検出した場合、前記端末にネットワーク接続要求を送信し、
前記端末が送信するネットワーク設定情報を受信し、
前記ネットワーク設定情報に基づいてネットワークに接続するように構成されるスマート機器をさらに提供する。
【００７８】
本発明によれば、
プロセッサと、
プロセッサにより実行可能なインストラクションを格納するためのメモリと、
を備え
前記プロセッサは、
スマート機器が構築した無線ＬＡＮを検出した場合、前記無線ＬＡＮに接続し、
前記スマート機器が送信するネットワーク接続要求を受信し、
前記ネットワーク接続要求に基づいて、自機がネットワークに接続するためのネットワーク設定情報を取得し、
前記ネットワーク設定情報を前記スマート機器に送信するように構成される端末をさらに提供する。
【００７９】
図１１は、一つの例示的な実施例に係る、ネットワーク接続に用いられる装置のブロック図である。例えば、装置１３００は、携帯電話、コンピュータ、デジタルブロードキャスト端末、メッセージ送受信機、ゲーム機、タブレットデバイス、医療機器、フィットネス機器、ＰＤＡ等であってもよい。
【００８０】
図１１に示すように、装置１３００は、処理アセンブリ１３０２、メモリ１３０４、電源アセンブリ１３０６、マルチメディアアセンブリ１３０８、オーディオアアセンブリ１３１０、入力／出力（Ｉ／Ｏ）インターフェース１３１２、センサアセンブリ１３１４及び通信アセンブリ１３１６からなる群から選ばれる少なくとも一つを備えてもよい。
【００８１】
処理アセンブリ１３０２は、一般的には、装置１３００の全体の操作、例えば、表示、電話呼び出し、データ通信、カメラ操作及び記録操作に関連する操作を制御する。処理アセンブリ１３０２は、上述した方法におけるステップの一部又は全部を実現できるように、インストラクションを実行する少なくとも一つのプロセッサ１３２０を備えてもよい。また、処理アセンブリ１３０２は、他のアセンブリとのインタラクションを便利にさせるように、少なくとも一つのモジュールを備えてもよい。例えば、処理アセンブリ１３０２は、マルチメディアアセンブリ１３０８とのインタラクションを便利にさせるように、マルチメディアモジュールを備えてもよい。
【００８２】
メモリ１３０４は、装置１３００での操作をサポートするように、各種のデータを記憶するように構成される。これらのデータは、例えば、装置１３００で何れのアプリケーション又は方法を操作するためのインストラクション、連絡先データ、電話帳データ、メッセージ、画像、ビデオ等を備える。メモリ１３０４は、何れの種類の揮発性又は不揮発性メモリ、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（Ｐｒｏｇｒａｍｍａｂｌｅ  ＲＯＭ）、ＲＯＭ（Ｒｅａｄ  Ｏｎｌｙ  Ｍｅｍｂｅｒ）、磁気メモリ、フラッシュメモリ、磁気ディスク、或いは光ディスクにより、或いはそれらの組み合わせにより実現することができる。
【００８３】
電源アセンブリ１３０６は、装置１３００の各種アセンブリに電力を供給するためのものであり、電源管理システム、一つ又は複数の電源、及び装置１３００のために電力を生成、管理及び分配することに関連する他のアセンブリを備えてもよい。
【００８４】
マルチメディアアセンブリ１３０８は、前記装置１３００とユーザの間に出力インターフェースを提供するスクリーンを備えてもよい。一部の実施例において、スクリーンは、液晶ディスプレイ（ＬＣＤ）やタッチパネル（ＴＰ）を備えてもよい。スクリーンは、タッチパネルを備える場合、ユーザからの入力信号を受信するように、タッチスクリーンになることができる。また、タッチパネルは、タッチや、スライドや、タッチパネル上の手振りを感知するように、少なくとも一つのタッチセンサを有する。前記タッチセンサは、タッチやスライド動作の境界を感知できるだけではなく、前記タッチやスライド操作と関連する持続時間や圧力も感知できる。一部の実施例では、マルチメディアアセンブリ１３０８は、フロントカメラ及び／又はバックカメラを有してもよい。装置１３００が、例えば、撮影モードやビデオモード等の操作モードにある時、フロントカメラ及び／又はバックカメラが外部のマルチメディアデータを受信できる。フロントカメラ及びバックカメラのそれぞれは、固定の光学レンズ系であってもよいし、焦点距離及び光学ズーム能力を有するものであってもよい。
【００８５】
オーディオアアセンブリ１３１０は、オーディオ信号を出力及び／又は入力するように構成される。例えば、オーディオアアセンブリ１３１０は、マイクロフォン（ＭＩＣ）を有してもよい。装置１３００が、例えば、呼び出しモード、記録モード、又は音声認識モード等の操作モードにあるとき、マイクロフォンは、外部のオーディオ信号を受信するように構成される。受信したオーディオ信号は、メモリ１３０４にさらに記憶されてもよいし、通信アセンブリ１３１６を介して送信されてもよい。一部の実施例では、オーディオアアセンブリ１３１０は、オーディオ信号を出力するためのスピーカをさらに備えてもよい。
【００８６】
Ｉ／Ｏインターフェース１３１２は、処理アセンブリ１３０２と外部のインターフェースモジュールの間にインターフェースを提供するためのものである。上記外部のインターフェースモジュールは、キーボードや、クリックホイールや、ボタン等であってもよい。これらのボタンは、ホームボタンや、音量ボタンや、スタートボタンや、ロックボタンであってもよいが、それらに限らない。
【００８７】
センサアセンブリ１３１４は、装置１３００のために各方面の状態を評価する少なくとも一つのセンサを備えてもよい。例えば、センサアセンブリ１３１４は、装置１３００のオン／オフ状態や、アセンブリの相対的な位置を検出することができる。例えば、前記アセンブリは、装置１３００のディスプレイ及びキーパッドである。センサアセンブリ１３１４は、装置１３００又は装置１３００の一つのアセンブリの位置の変化や、ユーザが装置１３００に接触しているか否かや、装置１３００の方向又は加速／減速や、装置１３００の温度変化を検出することができる。センサアセンブリ１３１４は、何れの物理的な接触もない場合に付近の物体を検出するように構成される近接センサを有してもよい。センサアセンブリ１３１４は、結像応用に用いるための光センサ、例えば、ＣＭＯＳ又はＣＣＤ画像センサを有してもよい。一部の実施例では、該センサアセンブリ１３１４は、加速度センサ、ジャイロスコープセンサ、磁気センサ、圧力センサ又は温度センサをさらに備えてもよい。
【００８８】
通信アセンブリ１３１６は、装置１３００と他の設備の間の無線又は有線通信を便利にさせるように構成される。装置１３００は、通信標準に基づく無線ネットワーク、例えば、ＷｉＦｉ（登録商標）や、２Ｇや、３Ｇ、又はそれらの組み合わせにアクセスできる。一つの例示的な実施例では、通信アセンブリ１３１６は、放送チャンネルを介して外部の放送管理システムからの放送信号又は放送に関する情報を受信する。一つの例示的な実施例では、前記通信アセンブリ１３１６は、近距離通信を促進するために近距離無線通信（ＮＦＣ）モジュールをさらに備えてもよい。例えば、ＮＦＣモジュールは、無線周波数認識装置（ＲＦＩＤ：Ｒａｄｉｏ  Ｆｒｅｑｕｅｎｃｙ  ＩＤｅｎｔｉｆｉｃａｔｉｏｎ）技術、赤外線データ協会（ＩｒＤＡ：Ｉｎｆｒａｒｅｄ  Ｄａｔａ  Ａｓｓｏｃｉａｔｉｏｎ）技術、超広帯域無線（ＵＷＢ：Ｕｌｔｒａ  Ｗｉｄｅ  Ｂａｎｄ）技術、ブルートゥース（ＢＴ：Ｂｌｕｅｔｏｏｔｈ（登録商標））技術及び他の技術により実現されてもよい。
【００８９】
例示的な実施例では、装置１３００は、上述した方法を実行するために、一つ又は複数の特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、デジタル信号プロセッサ（ＤＳＰ：Ｄｉｇｉｔａｌ  Ｓｉｇｎａｌ  Ｐｒｏｃｅｓｓｏｒ）、デジタル信号処理デバイス（ＤＳＰＤ：Ｄｉｇｉｔａｌ  Ｓｉｇｎａｌ  Ｐｒｏｃｅｓｓｉｎｇ  Ｄｅｖｉｃｅ）、プログラム可能論理デバイス（ＰＬＤ：Ｐｒｏｇｒａｍｍａｂｌｅ  Ｌｏｇｉｃ  Ｄｅｖｉｃｅ）、フィールド・プログラマブル・ゲート・アレイ（ＦＰＧＡ：Ｆｉｅｌｄ−Ｐｒｏｇｒａｍｍａｂｌｅ  Ｇａｔｅ  Ａｒｒａｙ）、コントローラ、マイクロコントローラ、マイクロプロセッサ、又は他の電子機器により実現されてもよい。
【００９０】
例示的な実施例では、インストラクションを記憶するための不揮発性のコンピュータ読み取り可能な記録媒体、例えば、インストラクションを記憶するためのメモリ１３０４をさらに提供する。前記インストラクションは、装置１３００のプロセッサ１３２０により実行されて上述した方法を実現する。例えば、前記不揮発性のコンピュータ読み取り可能な記録媒体は、ＲＯＭ、ＲＡＭ、ＣＤ−ＲＯＭ、磁気テープ、フロッピー（登録商標）ディスク及び光データメモリ等であってもよい。
【００９１】
不揮発性のコンピュータ読み取り可能な記録媒体は、前記記録媒体中のインストラクションがスマート機器のプロセッサにより実行される場合、スマート機器がネットワーク接続方法を実行できるようにし、前記方法は、
前記スマート機器がネットワークに接続されたことがない場合、無線ＬＡＮを構築するステップと、
前記無線ＬＡＮに接続された端末が存在することを検出した場合、前記端末にネットワーク接続要求を送信するステップと、
前記端末が送信するネットワーク設定情報を受信するステップと、
前記ネットワーク設定情報に基づいてネットワークに接続するステップとを含む。
【００９２】
前記無線ＬＡＮを構築するステップは、
前記スマート機器を無線ＬＡＮアクセスポイントモードに設置するステップと、
自機を無線ＬＡＮアクセスポイントとして無線ＬＡＮを構築するステップとをさらに含んでもよい。
【００９３】
前記無線ＬＡＮに接続された端末が存在することを検出した場合、前記方法は、
前記端末に認証情報を送信し、前記端末は前記認証情報に基づいて前記スマート機器に対して身元認証を行い、前記端末の前記スマート機器に対する身元認証に成功した場合、前記端末は前記スマート機器に前記ネットワーク設定情報を送信するステップをさらに含んでもよい。
【００９４】
前記ネットワーク設定情報に基づいてネットワークに接続するステップは、
前記ネットワーク設定情報に基づいて前記スマート機器に対してネットワーク設定を行うステップと、
ネットワーク設定が終了した後、前記ネットワーク設定情報と対応するネットワーク接続機器に接続要求を送信して、ネットワークに接続するステップとをさらに含んでもよい。
【００９５】
前記方法は、ネットワーク設定が終了した後、
前記端末に設定結果を報告するステップをさらに含んでもよい。
【００９６】
前記方法は、前記スマート機器がネットワークに接続した後、
前記端末にネットワーク接続結果を報告するステップをさらに含んでもよい。
【００９７】
不揮発性のコンピュータ読み取り可能な記録媒体は、前記記録媒体中のインストラクションがスマート機器のプロセッサにより実行される場合、スマート機器がネットワーク接続方法を実行できるようにし、前記方法は、
スマート機器が構築した無線ＬＡＮを検出した場合、前記無線ＬＡＮに接続するステップと、
前記スマート機器が送信するネットワーク接続要求を受信するステップと、
前記ネットワーク接続要求に基づいて、自機がネットワークに接続するためのネットワーク設定情報を取得するステップと、
前記ネットワーク設定情報を前記スマート機器に送信するステップとを含む。
【００９８】
前記方法は、前記スマート機器が送信するネットワーク接続要求を受信した後、
前記スマート機器が送信する認証情報を受信するステップと、
前記認証情報に基づいて前記スマート機器に対して身元認証を行うステップと、
前記スマート機器に対する身元認証に成功した場合、前記ネットワーク設定情報を前記スマート機器に送信するステップとをさらに含んでもよい。
【００９９】
前記方法は、前記ネットワーク設定情報を前記スマート機器に送信する前に、
ユーザからの設定命令を受信するステップと、
前記設定命令に基づいてネットワーク設定情報を送信するか否かを決定するステップとをさらに含んでもよい。
【０１００】
前記方法は、
前記スマート機器から、前記スマート機器が前記ネットワーク設定情報に基づいてネットワーク設定を行う設定結果及び前記スマート機器がネットワークに接続するネットワーク接続結果のうちの少なくとも一つの情報を受信するステップをさらに含んでもよい。
【０１０１】
当業者は、本願明細書を考慮し、本願明細書に開示された発明を実践した後、本発明の他の実施例を容易に想到し得る。本願は、本発明に対する任意の変形、用途又は適応的な変更を含むことにその旨がある。これらの変形、用途又は適当的な変更は、本発明の一般的な原理に従い、本願明細書に開示されていない本分野の公知常識又は慣用的技術手段を含む。明細書及び実施例は例示的なものに過ぎない。本発明の範囲及び精神は特許請求の範囲により限定される。
【０１０２】
本発明は、以上の記載および図面により示される正確な構造に限られることはなく、その範囲を逸脱しない限り様々な修正や変更が可能であることと、理解すべきである。本発明の範囲は、添付する特許請求の範囲のみにより限定される。
【０１０３】
本願は、出願番号がＣＮ２０１５１０１４６２４３．０であり、出願日が２０１５年３月３０日である中国特許出願に基づき優先権を主張し、当該中国特許出願のすべての内容を本願に援用する。
【図１】
0006330103.tif 000002
【図２】
0006330103.tif 000003
【図３】
0006330103.tif 000004
【図４】
0006330103.tif 000005
【図５】
0006330103.tif 000006
【図６】
0006330103.tif 000007
【図７】
0006330103.tif 000008
【図８】
0006330103.tif 000009
【図９】
0006330103.tif 000010
【図１０】
0006330103.tif 000011
【図１１】
0006330103.tif 000012